(57)【特許請求の範囲】
【請求項１】
反射型または透過型の画像投影用スクリーンに於て、スクリーン表面の迷光吸収層が、スクリーンの面方向に混在分布させた、減法混色の三原色であるシアン、マゼンタ、イエローの各色ドットの集合配列により構成されることを特徴とする画像投影用スクリーン。
【請求項２】
迷光吸収層の各色ドットをすき間無く配列したことを特徴とする請求項１に記載の画像投影用スクリーン。
【請求項３】
迷光吸収層の各色ドットを間隔をあけて配列したことを特徴とする請求項１に記載の画像投影用スクリーン。
【請求項４】
迷光吸収層の各色ドットの大きさを異ならせたことを特徴とする請求項１ないし３の何れかに記載の画像投影用スクリーン。
【請求項５】
迷光吸収層の各色ドットの大きさを、イエロー、シアン、マゼンタの順に小さくしたことを特徴とする請求項４に記載の画像投影用スクリーン。
【請求項６】
反射型の画像投影用スクリーンの場合に於て、迷光吸収層の各色ドットは不透過型顔料あるいは透過型染料を用いて構成され、透過型の画像投影用スクリーンの場合に於て、迷光吸収層の各色ドットは透過型染料を用いて構成されていることを特徴とする請求項１ないし５の何れかに記載の画像投影用スクリーン。
【請求項７】
スクリーン表面に、スクリーンの面方向に混在分布させた、減法混色の三原色であるシアン、マゼンタ、イエローの各色ドットの集合配列にょり構成された迷光吸収層を設けたスクリーン本体が反射型または透過型のビーズスクリーンであることを特徴とする請求項１ないし６の何れかに記載の画像投影用スクリーン。
【発明の詳細な説明】
【０００１】
【発明の属する技術分野】
本発明は画像投影用スクリーンに関する。
【０００２】
【従来の技術】
従来、カラーＴＶあるいはカラースライドフィルム等の色画像を投影する反射型（フロントタイプ）あるいは透過型（リアタイプ）のスクリーンに於いては、観察室内の迷光の影響を低減する目的でスクリーン面を反射率の低い中灰色に着色することが行なわれている。
【０００３】
これは、スクリーン面を反射率の低い中灰色に着色することで迷光をスクリーン面で吸収させて迷光の反射を抑えるものであり、スクリーン面は通常反射率５０％前後の中灰色面にされている。
【０００４】
【発明が解決しようとする課題】
この中灰色面の場合、色画像を形成する３原色、すなわちカラーＴＶでは赤（Ｒ）、緑（Ｇ）、青（Ｂ）の加法の三原色、カラースライドフィルムなど減法三原色によるものでは、その減法三原色の補色に相当する加法の三原色（Ｒ）、（Ｇ）、（Ｂ）のそれぞれが均等に吸収され、投影画像の輝度低下に伴う心理的色純度の低下が知覚される。
【０００５】
そこで本発明は、反射型または透過型の画像投影用スクリーンであって、迷光の影響を低減する中灰色スクリーンについて、原色に対する反射率または透過率を高く維持させて、当該スクリーンに投影された画像を観察する場合、明るく彩度の高い色が観察者に知覚されるように工夫した高色純度中灰色スクリーン（ハイコントラストスクリーン）を提供することを目的とする。
【０００６】
【課題を解決するための手段】
本発明は下記の構成を特徴とする画像投影用スクリーンである。
【０００７】
（１）反射型または透過型の画像投影用スクリーンに於て、スクリーン表面の迷光吸収層が、スクリーンの面方向に混在分布させた、減法混色の三原色であるシアン、マゼンタ、イエローの各色ドットの集合配列により構成されることを特徴とする画像投影用スクリーン。
【０００８】
（２）迷光吸収層の各色ドットをすき間無く配列したことを特徴とする（１）に記載の画像投影用スクリーン。
【０００９】
（３）迷光吸収層の各色ドットを間隔をあけて配列したことを特徴とする（１）に記載の画像投影用スクリーン。
【００１０】
（４）迷光吸収層の各色ドットの大きさを異ならせたことを特徴とする（１）ないし（３）の何れかに記載の画像投影用スクリーン。
【００１１】
（５）迷光吸収層の各色ドットの大きさを、イエロー、シアン、マゼンタの順に小さくしたことを特徴とする（４）に記載の画像投影用スクリーン。
【００１２】
（６）反射型の画像投影用スクリーンの場合に於て、迷光吸収層の各色ドットは不透過型顔料あるいは透過型染料を用いて構成され、透過型の画像投影用スクリーンの場合に於て、迷光吸収層の各色ドットは透過型染料を用いて構成されていることを特徴とする（１）ないし（５）の何れかに記載の画像投影用スクリーン。
【００１３】
（７）スクリーン表面に、スクリーンの面方向に混在分布させた、減法混色の三原色であるシアン、マゼンタ、イエローの各色ドットの集合配列により構成された迷光吸収層を設けたスクリーン本体が反射型または透過型のビーズスクリーンであることを特徴とする（１）ないし（６）の何れかに記載の画像投影用スクリーン。
【００１４】
〈作  用〉
即ち、上記の三原色ドット配列構成の迷光吸収層（中灰色迷光吸収層）により、従来の中灰色スクリーンと同様に観察室内の迷光の影響を低減させることができるとともに、従来の中灰色スクリーンよりも原色に対する反射率または透過率を高く維持し、当該スクリーンに投影された画像を観察する場合、明るく彩度の高い色が観察者に知覚される。
【００１５】
【発明の実施の形態】
〈第１の実施形態例〉
図１は第１の実施形態例のスクリーンの層構成を示す断面模型図である。このスクリーンＳは反射型スクリーンである。
１はスクリーンベース（スクリーン生地）であり、不透明層である。
【００１６】
２はこのスクリーンベース１の表面に積層したスクリーン面としての白色反射層である。
【００１７】
３はこの白色反射層２の面に具備させた迷光吸収層である。本例は図２の平面模型図のように、スクリーンの面方向にスクリーン全面をすき間なく覆わせて混在分布させた、減法混色の三原色であるシアン・マゼンタ・イエローの微小な各色ドットＣ・Ｍ・Ｙの集合配列により構成される。この三原色ドット配列構成の迷光吸収層３の面は全体的には中灰色に認識される。以下この三原色ドット配列構成の迷光吸収層３の面を中灰色ドット面と記す。
【００１８】
各色ドットＣ・Ｍ・Ｙは不透過型顔料あるいは透過型染料の色料を用いて印刷等の手段によりスクリーン面に対して任意のドット形状・大きさ・密度・配列形態で形成することができる。特にインクジェットプリント技術によれば各色ドットＣ・Ｍ・Ｙの細密な集合配列パターン模様を容易に形成することが可能である。各色ドットＣ・Ｍ・Ｙの大きさは大サイズのスクリーンの倍には比較的大きい設定にすることも可能であり、小サイズのスクリーンでは微小な設定とされる。一般的には直径１〜１０ｍｍ程度の大きさに設定される。要は観察者にはドッドの認識はできない程度の大きさのものにする。
【００１９】
図３の（ｄ）は従来型スクリーンの中灰色迷光吸収面に例えば赤い投影光が入射した場合の説明模型図であり、この従来型スクリーンに於いては、スクリーン表面の総ての部分から入射光強度が均等に低下した状態で反射される。例えば、スクリーン表面の中灰色の白色光に対する反射率を５０％に設定すれば、反射光は一様に５０％に減衰する。
【００２０】
一方、本発明に係るスクリーンの場合は、図３の（ａ）・（ｂ）・（ｃ）の模型図のように、スクリーン表面の迷光吸収層面である中灰色ドット面のシアンドット部分Ｃに入射した赤色光ａは吸収され、一部ｂが反射される。またシアンドット部分Ｃに入射した緑色光ｇおよび青色光ｍはその殆どｈ・ｎが反射される。同様に、マゼンタドット部分Ｍ・イエロードット部分Ｙに入射した赤色光ｃ・ｅはその殆どｄ・ｆが反射される。
【００２１】
例えば、微小なシアンドット部分Ｃの白色光（赤色光、緑色光、青色光の均等混合）に対する反射率を５０％に設定するには、分光的に理想的な吸収を示すシアン色素を仮定し、赤色光（Ｒ）には０％、緑色光（Ｇ）および青色光（Ｂ）に対してそれぞれ７５％の反射率に設定すればよい。
【００２２】
同様に、微小なマゼンタドット部分Ｍの反射率を、赤色光に対し７５％、緑色光に対し０％、青色光に対し７５％に設定し、イエロードット部分Ｙの反射率を赤色光に対し７５％、緑色光に対し７５％、青色光に対し０％に設定すれば、スクリーン表面の迷光吸収層面である中灰色ドット面の総体的反射率は５０％であるが、赤色光（Ｒ）・緑色光（Ｇ）・青色光（Ｂ）のそれぞれの色光に対しては７５％の反射率が維持される。
【００２３】
勿論、実用の色素の分光反射あるいは透過特性は理想型に一致せず不要吸収を持つので、中灰色ドット面の総体的反射率を５０％とするには、前述の０％：７５％：７５％の比率は例えば１０％：７０％：７０％となることが現実的である。この場合、スクリーン表面の迷光吸収層面である中灰色ドット面の総体的反射率は５０％であり、赤色光（Ｒ）・緑色光（Ｇ）・青色光（Ｂ）の色光それぞれに対しては７０％の反射率が維持される。
【００２４】
したがって、スクリーン表面の迷光吸収層３を、スクリーンの面方向に混在分布させた、減法混色の三原色であるシアン、マゼンタ、イエローの各色ドットＣ・Ｍ・Ｙの集合配列により構成することで、従来の中灰色スクリーンと同様に観察室内の迷光の影響を低減することができるとともに、従来の中灰色スクリーンよりも、原色に対する反射率を高く維持し、当該スクリーンに投影された画像を観察する場合、明るく彩度の高い色が観察者に知覚される。
【００２５】
〈第２〜第６の実施形態例〉
ａ）図４は第２の実施形態例のスクリーンの層構成を示す断面模型図である。本例は透過型スクリーンである。
【００２６】
４はスクリーンベース（スクリーン生地）であり、透明層である。
【００２７】
５はこのスクリーンベース４の表面に積層したスクリーン面としての光拡散層（半透明層）である。
【００２８】
３はこの光拡散層５の面に具備させた迷光吸収層であり、本例も図２の平面模型図のように、スクリーンの面方向にスクリーン全面を隙間なく密に覆わせて混在分布させた、減法混色の三原色であるシアン・マゼンタ・イエローの微小な各色ドットＣ・Ｍ・Ｙの集合配列により構成される。
【００２９】
透過型スクリーンにおいては各色ドットＣ・Ｍ・Ｙを構成させる色料としては透過型染料が用いられる。そしてこの三原色ドット配列構成の迷光吸収層３の面は全体的には中灰色に認識される。
【００３０】
この透過型スクリーンの場合も、スクリーン表面の迷光吸収層３を、スクリーンの面方向に混在分布させた、減法混色の三原色であるシアン、マゼンタ、イエローの各色ドットＣ・Ｍ・Ｙの集合配列により構成することで、従来の中灰色スクリーンと同様に観察室内の迷光の影響を低減することができるとともに、従来の中灰色スクリーンよりも、原色に対する透過率を高く維持し、当該スクリーンに投影された画像を観察する場合、明るく彩度の高い色が観察者に知覚される。
【００３１】
ｂ）シアン、マゼンタ、イエローの各色ドットＣ・Ｍ・Ｙは、図２の例のようにスクリーン表面を隙間なく埋めてもよいし、図５〜図７のように、適切な間隔を持って配列してもよい。図５と図６は第３と第４の実施形態例のスクリーンの層構成を示す断面模型図であり、前者は反射型、後者は透過型のスクリーンである。
【００３２】
各色ドットＣ・Ｍ・Ｙの間隔は、スクリーンの総体的な明るさを確保するために適切に選択される。
【００３３】
更に、各色ドットＣ・Ｍ・Ｙの形成に使用した色素の分光反射特性により、３色の各色ドットＣ・Ｍ・Ｙの径（大きさ）は同じにならない場合がある。本発明においては、３色の各色ドットＣ・Ｍ・Ｙの径を特定するものでなく各色ドットのそれぞれが異なる径を有する場合も含まれる。
【００３４】
また、３色の各色ドットＣ・Ｍ・Ｙの径が異なる場合には、イエローＹ、シアンＣ、マゼンタＭの順にドット径を小さくすることが視覚的に円滑感のある投影画像を得るために望ましい。
【００３５】
また、３色の各色ドットＣ・Ｍ・Ｙのドット形状は四角形や円形に限らず、各種多角形、楕円形など任意であり、各種形状のものを混在させることもできる。
【００３６】
ｃ）本発明のスクリーンにおいて、スクリーン表面層としての迷光吸収層３以外のスクリーン本体の層構成は、上記例の反射型あるいは透過型のスクリーンに限られず、単層構成でも、複数機能層積層の２層以上多層構成でも任意である。
【００３７】
図８は第５の実施形態例のスクリーンの層構成を示す断面模型図である。本例のスクリーンは反射型のビーズスクリーンの表面に三原色ドット配列構成の迷光吸収層３を具備させた形態のスクリーンである。
【００３８】
６はビーズスクリーン生地であり、生地ベースとしての例えば白色の塩化ビニルシート等の白色のベースシート７と、そのベースシート７の表面に例えば数μｍ程度に薄くコーティングした例えば酢酸ビニル系等の接着剤層８と、その接着剤層８面に微小ガラスビーズｂを各部均一に高密度に散布して接着剤層８を介してベースシート７の表面に固着させて形成したガラスビーズ層９とからなる。
【００３９】
１０・１１は上記ビーズスクリーン生地６の裏面、即ちベースシート７の裏面に順次貼り合わせたバッキング材層としてのグラスファイバークロス層と、塩化ビニル等の樹脂シート層である。このバッキング材層１０・１１はスクリーン全体の強度や寸法安定性等を確保する役目をする。また黒色にして光遮蔽性にしてある。
【００４０】
ガラスビーズ層９を構成する個々のガラスビーズｂは、例えば直径数１０μｍ〜数１００μｍの実質的に球形の透明ガラス製微小球体であり、ホワイトベース７の表面に対する均一散布の固着ガラスビーズ層９は該ガラスビーズｂの実質的に一層の高密度分布集合層である。そしてスクリーンの表面側であるガラスビーズ層９側の面に対して光像を結像投影して反射映像を観賞する。
【００４１】
このような反射型のビーズスクリーンは非ビーズ形スクリーンである、例えば、表面に微細な凹凸シワを付与した光沢のない白色スクリーンと比較して、投影光の反射効率が高くて高輝度映像を実現し、また、忠実度の高い色再現性・階調性を有する映像を実現でき、例えば大画面のビデオ・プロジェクタのスクリーンなどに適している。
【００４２】
本例はこのような反射型のビーズスクリーンのガラスビーズ層９の表面に、スクリーンの面方向に混在分布させた、減法混色の三原色であるシアン、マゼンタ、イエローの各色ドットの集合配列により構成した迷光吸収層３を具備させたものである。より具体的には透明フィルムの表面に各色ドットＣ・Ｍ・Ｙの集合配列パターン模様を印刷法等で形成し、この透明フィルムをガラスビーズ層９の表面にラミネートすることにより迷光吸収層３を具備させたものである。
【００４３】
図９は第６の実施形態例のスクリーンの層構成を示す断面模型図である。本例のスクリーンは透過型のビーズスクリーンの表面に三原色ドット配列構成の迷光吸収層３を具備させた形態のスクリーンである。
【００４４】
１２は透明ベース材層であり、この層１２はスクリーン全体の強度・寸法安定性等を確保するもので、軟質又は硬質の塩化ビニル樹脂・アクリル樹脂等の適当厚さの透明樹脂のシート材もしくは板材を用いることができる。
【００４５】
１３は該透明ベース材層１２の表面に薄くコーティングした透明な接着剤層、９はその接着剤層面に前述と同様の微小ガラスビーズｂを各部均一に高密度に散布して接着剤層を介して透明ベース材１２面に固着させて形成したガラスビーズ層である。このガラスビーズ層９はガラスビーズｂの実質的に一層の高密度分布集合層である。                    −                      ．
１４は該ガラスビーズ層９の個々のガラスビーズｂ相互の隙間空間を、個々のガラスビーズｂの透明接着剤層１３に接した底面側とは反対側の頂面側は露呈させて埋めている遮光性材料層である。例えば電子写真複写機の現像剤として用いられている黒色トナーを利用して、該トナーを透明ベース材層１２の表面に透明接着剤層１３を介して固着されているガラスビーズ届９の面にすり込んで個々のガラスビーズｂ相互の隙間空間に埋め込ませ、余分なトナーをはき取って個々のガラスビーズｂの透明接着剤層１３に接した底面とは反対側の頂面側は露呈させた状態になす。個々のガラスビーズｂ相互の隙間空間を埋めた遮光性材料層１４としてのすり込みトナーは必要に応じて熱処理等で固結化させる。
【００４６】
上記のスクリーンは原則的には透明ベース材層１２側をスクリーン裏面側として映像を投影し、その反対面であるガラスビーズ層９側（スクリーン表面側）で映像を観賞する。透明ベース材層１３の面に対する映像光は透明ベース材層１２→透明接着剤層１３→透明接着剤層に接した個々のガラスビーズｂの底面→個々のガラスビーズｂ→個々のガラスビーズｂの外部露呈頂面、の経路でスクリーン表面側へ出る。そして個々のガラスビーズｂが光拡散剤の作用をして透過型スクリーンとして機能する。
【００４７】
このような透過型のビーズスクリーンは非ビーズ系スクリーンである、一般的な半透明性の光拡散性透過型スクリーン、即ちアクリル樹脂・塩化ビニル樹脂等の透明樹脂を母材（バインダ材）にしてその中に雲母粉末・ケイ素化合物粉末等の光拡散剤を配合分散してなる全体半透明性肉質のスクリーンと比較して、スクリーン透過光量が大幅に増大してスクリーンゲイン（スクリーン（映像）の明るさ）が向上し、また画像コントラスト、改造力、色再現性、階調性等も向上する。
【００４８】
本例はこのような透過型のビーズスクリーンのガラスビーズ層９の表面に、上記の反射型のビーズスクリーンの場合と同様に、スクリーンの面方向に混在分布させた、減法混色の三原色であるシアン、マゼンタ、イエローの各色ドットの集合配列により構成した迷光吸収層３を具備させたものである。より具体的には透明フィルムの表面に各色ドットＣ・Ｍ・Ｙの集合配列パターン模様を印刷法等で形成し、この透明フィルムをガラスビーズ層９の表面にラミネートすることにより迷光吸収層３を具備させたものである。
【００４９】
【発明の効果】
以上説明したように本発明は、反射型または透過型の画像投影用スクリーンに於て、スクリーン表面の迷光吸収層を、スクリーンの面方向に混在分布させた、減法混色の三原色であるシアン、マゼンタ、イエローの各色ドットの集合配列により構成したことで、従来の中灰色スクリーンと同様に観察室内の迷光の影響を低減することができるとともに、従来の中灰色スクリーンよりも、原色に対する反射率または透過率を高く維持し、当該スクリーンに投影された画像を観察する場合、明るく彩度の高い色が観察者に知覚される。
【図面の簡単な説明】
【図１】  第１の実施形態例のスクリーンの層構成を示す断面模型図
【図２】  第１の実施形態例のスクリーンにおける三原色ドット配列構成の迷光吸収層の平面模型図
【図３】  （ａ）ないし（ｄ）は三原色ドット配列構成の迷光吸収層および従来の中間灰色迷光吸収面の光吸収・反射の説明模型図
【図４】  第２の実施形態例のスクリーンの層構成を示す断面模型図
【図５】  第３の実施形態例のスクリーンの層構成を示す断面模型図
【図６】  第４の実施形態例のスクリーンの層構成を示す断面模型図
【図７】  第３と第４の実施形態例のスクリーンにおける三原色ドット配列構成の迷光吸収層の平面模型図
【図８】  第５の実施形態例のスクリーンの層構成を示す断面模型図
【図９】  第６の実施形態例のスクリーンの層構成を示す断面模型図
【符号の説明】
Ｓ    反射型または透過型の画像投影用スクリーン
１    スクリーンベース（不透明層）
２    白色反射層
３    三原色ドット配列構成の迷光吸収層
Ｃ・Ｍ・Ｙ    シアン、マゼンタ、イエローの各色ドット
４    スクリーンベース（透明層）
５    光拡散層（半透明）
９    ガラスビーズ層
ｂ    ガラスビーズ
【図１】
0004259682.tif 000002
【図２】
0004259682.tif 000003
【図３】
0004259682.tif 000004
【図４】
0004259682.tif 000005
【図５】
0004259682.tif 000006
【図６】
0004259682.tif 000007
【図７】
0004259682.tif 000008
【図８】
0004259682.tif 000009
【図９】
0004259682.tif 000010